(57)【要約】【課題】  プロテクター内部への汗の侵入を防ぐことができ、装着した際にも楽器表面に面接触しない金管楽器用プロテクターを提供する。【解決手段】  金管楽器の操作管部位に巻いて該管部位を覆う金管楽器用プロテクター１が、両面に撥水加工を施した織り組織からなる外側表地層２と当該表地層２に接着した第一防水層３との二層体と、両面に撥水加工を施した織り組織からなる内側裏地層４と当該裏地層４に接着した第二防水層３との二層体とを表地層２と裏地層４とが外を向くように合わせて周囲を縫製して両防水層３，３間に隙間層５を形成して構成されている。【選択図】図３
0003152410.tif 000002
【実用新案登録請求の範囲】
【請求項１】
金管楽器の操作管部位に巻いて該操作管部位を覆う金管楽器用プロテクターにおいて、撥水加工を施した織り組織からなる外側表地層と織り組織からなる内側裏地層と当該表地層と裏地層との間に設けた可撓性防水層とを備えて構成されていることを特徴とする金管楽器用プロテクター。
【請求項２】
表地層と裏地層との間に隙間層を形成してなる請求項１記載の金管楽器用プロテクター。
【請求項３】
金管楽器の操作管部位に巻いて該操作管部位を覆う金管楽器用プロテクターにおいて、撥水加工を施した紹巴織り組織からなる外側表地層と紹巴織り組織からなる内側裏地層と当該表地層と裏地層との間に設けた可撓性防水層とを備えて構成されていることを特徴とする金管楽器用プロテクター。
【請求項４】
表地層と裏地層との間に隙間層を形成してなる請求項３記載の金管楽器用プロテクター。
【請求項５】
金管楽器の操作管部位に巻いて該操作管部位を覆う金管楽器用プロテクターにおいて、撥水加工を施した紹巴織り組織からなる外側表地層と該表地層に接着された第一可撓性防水層と該第一防水層に対して間隙を有して配置された第二可撓性防水層と該第二防水層に接着された撥水加工を施した紹巴織り組織からなる内側裏地層とを備えて前記第一防水層と前記第二防水層との間に隙間層を設けて構成されていることを特徴とする金管楽器用プロテクター。
【請求項６】
金管楽器のピストンバルブケーシングに巻いて該ケーシングを覆う金管楽器用プロテクターにおいて、撥水加工を施した織り組織からなる外側表地層と撥水加工を施した織り組織からなる内側裏地層と当該表地層と裏地層との間に設けた可撓性防水層とを備えて構成されていることを特徴とする金管楽器用プロテクター。
【請求項７】
表地層と裏地層と間に隙間層を形成してなる請求項６記載の金管楽器用プロテクター。
【請求項８】
金管楽器のピストンバルブケーシングに巻いて該ケーシングを覆う金管楽器用プロテクターにおいて、撥水加工を施した紹巴織り組織からなる外側表地層と撥水加工を施した紹巴織り組織からなる内側裏地層と当該表地層と裏地層との間に設けた可撓性防水層とを備えて構成されていることを特徴とする金管楽器用プロテクター。
【請求項９】
表地層と裏地層との間に隙間層を形成してなる請求項８記載の金管楽器用プロテクター。
【請求項１０】
金管楽器のピストンバルブケーシングに巻いて該ケーシングを覆う金管楽器用プロテクターにおいて、撥水加工を施した紹巴織り組織からなる外側表地層と該表地層に接着された第一可撓性防水層と該第一防水層に対して間隙を有して配置された第二可撓性防水層と該第二防水層に接着された撥水加工を施した紹巴織り組織からなる内側裏地層とを備えて前記第一防水層と前記第二防水層との間に隙間層を設けて構成されていることを特徴とする金管楽器用プロテクター。
【考案の詳細な説明】
【技術分野】
【０００１】
本考案は、金管楽器の操作管部位に巻いて該操作管部位を覆う金管楽器用プロテクターに関するものである。
【背景技術】
【０００２】
周知の通り、金管楽器演奏中の演奏者の汗による手濡れや演奏者の手触れ摩耗による錆やメッキ剥げを防止のために、金管楽器の手で触る操作管部位を保護する革製プロテクターが汎用されている。
【０００３】
前記革製プロテクターとして、ホルン、トランペット、トロンボーン等の金管楽器本体の握り部に巻き付けて装着する天然皮革、合成皮革、樹脂シート等の可撓性を有する素材の保護具と、当該保護具のほぼ中央部に設けられた手先を挿入できるバンドとからなる金管楽器用プロテクターが提案されている（特許文献１参照）。
【０００４】
また、弦楽器演奏の際にハイポジションを用いるとき、腕時計や衣服等の装身具により楽器を傷付けたり、汗により楽器の塗装を変色・変質させたりすることを防止するために織物、フェルト及び不織布等の布、又は、天然皮革、合成皮革及び合成樹脂等を用いた弦楽器保護カバーが提案されている（特許文献２参照）。
【０００５】
さらに、再剥離製粘着材、フィルム基材、高吸水性樹脂の吸水材、及び、通気性を有するビスコース材料の被覆材を順次積層した構造を有し、被覆材の存在によって素早く汗を吸収するようにした弦楽器用吸汗シートが提案されている（特許文献３参照）。
【先行技術文献】
【特許文献】
【０００６】
【特許文献１】実用新案登録第３１１２１７６号公報
【特許文献２】特開２００６−１５４７７６号公報
【特許文献３】特開２００６−３５００４２号公報
【考案の概要】
【考案が解決しようとする課題】
【０００７】
前記従来の革製プロテクターは、革が汗を吸収するので、革内部に汗が浸透して革加工の際に使用された薬品と共に金管楽器側へ滲み出て、金、銀、ラッカー等のメッキ処理を施した金管楽器にヤケの現象が現れるという問題点があった。
【０００８】
また、前記繊維製の弦楽器保護カバーや弦楽器用吸汗シートのプロテクターは、汗を吸収するようになっているので、当該汗が楽器側に滲み出るという問題点があった。
【０００９】
さらに、前記従来のプロテクターは、いずれも使用した際に楽器表面に密着して楽器本来の響きを低下させるので、演奏者はプロテクターの使用を避ける傾向にあるという問題点があった。
【００１０】
そこで、本考案は、演奏中の汗が金管楽器側へ滲み出ない、そして、金管楽器表面に面接触しない金管楽器用プロテクターを提供することを技術的課題とするものである。
【課題を解決するための手段】
【００１１】
前記技術的課題は、次の通りの本考案によって解決できる。
【００１２】
即ち、本考案に係る金管楽器用プロテクターは、金管楽器の操作管部位に巻いて該操作管部位を覆う金管楽器用プロテクターにおいて、撥水加工を施した織り組織からなる外側表地層と織り組織からなる内側裏地層と当該表地層と裏地層との間に設けた可撓性防水層とを備えて構成されているものである。
【００１３】
また、本考案に係る金管楽器用プロテクターは、金管楽器の操作管部位に巻いて該操作管部位を覆う金管楽器用プロテクターにおいて、撥水加工を施した紹巴織り組織からなる外側表地層と紹巴織り組織からなる内側裏地層と当該表地層と裏地層との間に設けた可撓性防水層とを備えて構成されているものである。
【００１４】
また、本考案は、前記いずれかの金管楽器用プロテクターにおいて、表地層と裏地層との間に隙間層を形成したものである。
【００１５】
また、本考案に係る金管楽器用プロテクターは、金管楽器の操作管部位に巻いて該操作管部位を覆う金管楽器用プロテクターにおいて、撥水加工を施した紹巴織り組織からなる外側表地層と該表地層に接着された第一可撓性防水層と該第一防水層に対して間隙を有して配置された第二可撓性防水層と該第二防水層に接着された撥水加工を施した紹巴織り組織からなる内側裏地層とを備えて前記第一防水層と前記第二防水層との間に隙間層を設けて構成されているものである。
【００１６】
また、本考案に係る金管楽器用プロテクターは、金管楽器のピストンバルブケーシングに巻いて該ケーシングを覆う金管楽器用プロテクターにおいて、撥水加工を施した織り組織からなる外側表地層と撥水加工を施した織り組織からなる内側裏地層と当該表地層と裏地層との間に設けた可撓性防水層とを備えて構成されているものである。
【００１７】
また、本考案に係る金管楽器用プロテクターは、金管楽器のピストンバルブケーシングに巻いて該ケーシングを覆う金管楽器用プロテクターにおいて、撥水加工を施した紹巴織り組織からなる外側表地層と撥水加工を施した紹巴織り組織からなる内側裏地層と当該表地層と裏地層との間に設けた可撓性防水層とを備えて構成されているものである。
【００１８】
また、本考案は、前記いずれかの金管楽器用プロテクターにおいて、表地層と裏地層との間に隙間層を形成したものである。
【００１９】
さらに、本考案に係る金管楽器用プロテクターは、金管楽器のピストンバルブケーシングに巻いて該ケーシングを覆う金管楽器用プロテクターにおいて、撥水加工を施した紹巴織り組織からなる外側表地層と該表地層に接着された第一可撓性防水層と該第一防水層に対して間隙を有して配置された第二可撓性防水層と該第二防水層に接着された撥水加工を施した紹巴織り組織からなる内側裏地層とを備えて前記第一防水層と前記第二防水層との間に隙間層を設けて構成されているものである。
【考案の効果】
【００２０】
本考案によれば、金管楽器用プロテクターを、撥水加工を施した織り組織からなる外側表地層と織り組織からなる内側裏地層との間に可撓性防水層を設けた構成のものとしたので、手の平の汗がプロテクター内部を通って金管楽器側へ滲み出るのを防ぐことができ、裏地層は織り組織であるからプロテクターと楽器表面とは点接触しているので、楽器本来の響きが低下することもない。また、表地層と裏地層との間に隙間層を形成したので、手の体温により蒸れてプロテクター内部に浸透した汗を隙間層から外部へ発散させることができる。
【図面の簡単な説明】
【００２１】
【図１】金管楽器用プロテクターの断面図である。
【図２】金管楽器用プロテクターの裏地層の面と金管楽器の表面との接触状態を説明する図である。
【図３】金管楽器用プロテクターの断面図である。
【図４】トランペットに使用する金管楽器用プロテクターの平面図である。
【図５】トランペットのピストンバルブを示す側面図である。
【図６】トランペットのピストンバルブケーシングに図４に図示する金管楽器用プロテクターを装着した状態を示すトランペットの側面図である。
【図７】トランペットに金管楽器用プロテクターを装着した状態を示す斜視図である。
【図８】トランペットに金管楽器用プロテクターを装着した状態を示す斜視図である。
【考案を実施するための形態】
【００２２】
以下、本考案の実施の形態を図面に基づき説明する。
【実施例１】
【００２３】
１は、金管楽器の操作管部位に当接される操作側手の平（掌）と当該操作管部位との間に位置付けて該操作管部位に巻いて当該操作管部位を覆う金管楽器用プロテクターであり、当該金管楽器用プロテクター１は、両面に撥水加工を施した織り組織からなる操作手側（外側）表地層２と、両面に撥水加工を施した織り組織からなる管側（内側）裏地層３と、当該裏地層３に接着した可撓性防水層４と、表地層２と防水層４との間に間隙を設けて合わせて周囲を縫製して表地層２と防水層４との間に形成した隙間層５とから構成されている。
【００２４】
前記防水層３は、金管楽器の所望位置の操作管部位に巻いて該操作管部位を覆うことができるように、可撓性を有するポリエステルや発泡スチロールや架橋高発泡ポリエチレン等の樹脂製シートを使用すればよく、クッション性を有していればさらによい。樹脂製シートの両面に防水加工を施して使用してもよく、また、前記防水層４と裏地層３との接着には科学のり等の接着剤を使用すればよい。さらに、前記表地層２と防水層４と裏地層３とはその外形を巻いて覆う金管楽器の管部位形状に合わせて形成してその周囲を縫製すればよく、ワッペン加工によって形成してもよい。
【００２５】
また、表地層２と裏地層３には紹巴織り生地を使用するのがよい。紹巴織り生地はふくさや茶器を包む生地として使われ、丈夫で滑りにくいという特徴を有しており、プロテクター１の裏地層４と楽器表面とが、図２に示すように、点接触するのに最も適した織り組織であることを、本考案者における試行錯誤的実験結果によって確認している。
【００２６】
本実施例では、金管楽器用プロテクター１を、撥水加工を施した織り組織からなる表地層２と織り組織からなる裏地層３との間に可撓性防水素材の防水層４を設け、表地層２と裏地層３との間に隙間層５を形成した構成としたので、手の平の汗がプロテクター内部を通って金管楽器側へ滲み出るのを防ぐことができ、手の体温により蒸れてプロテクター内部に浸透した汗を隙間層から外部へ放出させることができ、さらに、裏地層が織り組織になっておりプロテクターと楽器とは点接触しているので、楽器本来の響きが低下することもないから、トランペット、ホルン、トロンボーン、チューバ等の金管楽器に好適に使用することができる。
【実施例２】
【００２７】
図３において、図１と同一符号は同一又は相当部分を示し、本実施例における金管楽器用プロテクター１は、両面に撥水加工を施した織り組織からなる外側表地層２と当該表地層２に接着した第一防水層３との二層体と、両面に撥水加工を施した織り組織からなる内側裏地層４と当該裏地層４に接着した第二防水層３との二層体とを表地層２と裏地層４とが外を向くように合わせて周囲を縫製して両防水層３，３間に隙間層５を形成して構成されている。
【００２８】
本実施例では、撥水加工を施した織り組織からなる表地層２と、同じく撥水加工を施した織り組織からなる裏地層４と、表地層２と裏地層４との間に設けてなる第一防水層３及び第二防水層３と、第一防水層３と第二防水層３との間に形成した隙間層５とから構成したので、演奏中に手の平から出た汗が表地層２からプロテクター１内部に滲み込むことを防ぐことができ、手の体温により蒸れて内部に浸透した汗を二層の防水層３，３で遮断すると共に、蒸れた蒸気を隙間層５から外部へ発散させることができ、さらには、裏地層４が織り組織となっており、プロテクター１と楽器表面とは点接触するから、楽器本来の響きを発生させることができる。
【実施例３】
【００２９】
本実施例は、図３に図示するプロテクター１をトランペットに使用するものであり、図４〜図８において、図１〜図３と同一符号は同一又は相当部分を示し、１はトランペット６の管部位であるピストンバルブ７のバルブケーシング８を巻いて覆うことができる形状に形作られたトランペット用プロテクターであり、プロテクター１の左右端部の表裏には雄雌の面ファスナ９，１０が設けられている。
【００３０】
前記トランペット用プロテクター１は、図６及び図７に示すように、表地層２を操作手側である外側、裏地層４をトランペット側である内側にして３本のピストンバルブケーシング（管部位）８に巻いて、図８に示すように、プロテクター１の面ファスナ９，１０によってピストンバルブ７に止めて当該バルブケーシング８を覆うように取り付ける。
【００３１】
前記トランペット用プロテクター１は、両面に撥水加工を施した紹巴織り組織からなる手側表地層２と当該表地層２に接着した第一防水層３との二層体と、両面に撥水加工を施した紹巴織り組織からなる管側裏地層４と当該裏地層４に接着した第二防水層３との二層体とを表地層２と裏地層４とが外を向くように合わせて周囲を縫製して両防水層３，３間に隙間層５を形成して構成されているので、表地層２と第一防水層３と第二防水層３と裏地層４との撥水・防水作用によって手の平の汗がトランペット表面へ浸透するのを遮断すると共に、隙間層５によってプロテクター１内の蒸れを防止することができる。
【００３２】
前記表地層２及び裏地層４の紹巴織りにはシルクを使用するのがよく、具体的には、糸が太すぎると楽器表面を傷付け、細すぎると楽器表面との接触が革製に近づく結果となるので、62デニールの２本合わせの経糸と84デニールの４本合わせの緯糸を使用するのが最も好ましい。さらに、プロテクター１の周囲はシルク糸によって縫製すれば、トランペットを痛めることがない。
【００３３】
なお、防水層３を一層にして当該防水層３と表地層２及び／又は裏地層４間に隙間層５を形成するようにしてもよい。
【産業上の利用可能性】
【００３４】
本考案によれば、演奏中の手汗がプロテクターを通過して金管楽器側に滲み出ることがないから、楽器表面、特に操作管部位の表面を痛めることがなく、また、プロテクターと楽器表面とは点接触しているから、楽器の音色を損なうことがなく、演奏者にとって好適な金管楽器用プロテクターとして利用できる。
【００３５】
従って、本考案の産業上利用性は非常に高いといえる。
【符号の説明】
【００３６】
１  金管楽器用プロテクター（トランペット用プロテクター）
２  表地層
３  第一防水層、第二防水層
４  裏地層
５  隙間層
６  トランペット
７  ピストンバルブ
８  ピストンバルブケーシング
９、１０  面ファスナ
【図１】
0003152410.tif 000003
【図３】
0003152410.tif 000004
【図４】
0003152410.tif 000005
【図２】
0003152410.tif 000006
【図５】
0003152410.tif 000007
【図６】
0003152410.tif 000008
【図７】
0003152410.tif 000009
【図８】
0003152410.tif 000010